(57)【要約】【課題】圧縮機の直流ブラシレスモータの直流電源回路と電磁ソレノイドの直流電源回路を共用しても、開扉時における電磁ソレノイドの突出力を安定させる冷蔵庫を提供する。【解決手段】交流入力を直流に変換して出力する直流電源回路２８と、インバータ主回路２９から給電される圧縮機駆動用の直流ブラシレスモータ１９と、直流電源回路から直流出力が与えられるように接続された扉開放装置２０と、この扉開放装置２０に通電するための操作スイッチ２１と、直流ブラシレスモータ１９の回転制御を行うとともに操作スイッチ２１の操作により所定時間通電して扉開放装置２０の駆動制御を行う制御手段３０と、インバータ主回路２９に出力された電圧を検出して制御手段３０に出力する電圧検出手段４０とを備え、制御手段３０は、電圧検出手段４０に応じて扉開放装置２０に通電する所定時間を変更する。【選択図】  図１
2004286311.tif 000002
【特許請求の範囲】
【請求項１】
交流入力を直流に変換して出力する直流電源回路と、スイッチング素子を三相ブリッジ接続してなり前記直流電源回路からの直流出力を三相交流出力として出力するインバータ主回路と、このインバータ主回路から給電される圧縮機駆動用の直流ブラシレスモータと、前記直流電源回路から直流出力が与えられるように接続された扉開放装置と、この扉開放装置に通電するための操作スイッチと、前記インバータ主回路のスイッチング素子に駆動信号を与えて前記直流ブラシレスモータの回転制御を行うとともに前記操作スイッチの操作により所定時間通電して前記扉開放装置の駆動制御を行う制御手段と、前記直流電源回路から前記インバータ主回路に出力された電圧を検出して前記制御手段に出力する電圧検出手段とを備え、前記制御手段は、前記電圧検出手段に応じて前記扉開放装置に通電する所定時間を変更することを特徴とする冷蔵庫。
【請求項２】
交流入力を直流に変換して出力する直流電源回路と、スイッチング素子を三相ブリッジ接続してなり前記直流電源回路からの直流出力を三相交流出力として出力するインバータ主回路と、このインバータ主回路から給電される圧縮機駆動用の直流ブラシレスモータと、前記直流電源回路からの直流出力が与えられるように接続してＰＷＭ制御される扉開放装置と、この扉開放装置に通電するための操作スイッチと、前記インバータ主回路のスイッチング素子に駆動信号を与えて前記直流ブラシレスモータの回転制御を行うとともに前記操作スイッチの操作によりＰＷＭデューティ値を出力して前記扉開放装置の駆動制御を行う制御手段と、前記直流電源回路から前記インバータ主回路に出力された電圧を検出して前記制御手段に出力する電圧検出手段とを備え、前記制御手段は、前記電圧検出手段に応じて前記扉開放装置に出力するデューティ値を変更することを特徴とする冷蔵庫。
【発明の詳細な説明】
【０００１】
【発明の属する技術分野】
本発明は、貯蔵室扉を操作スイッチの操作により自動開扉させる扉開放装置を備えた冷蔵庫に関する。
【０００２】
【従来の技術】
近年、冷蔵庫は食生活の多様化とともに収納量も大型化傾向にあり、特に家庭用冷蔵庫においては、収納内容積が４００リットルを超えるクラスが主流となり、冷蔵庫本体の高さや幅寸法も大きくなる傾向にある。
これにともなって、冷蔵室や冷凍室、野菜室の扉も大型化しており、特に貯蔵容積の大きい冷蔵室の扉内側における収納ポケットは、高さと幅寸法の拡大とともに奥行寸法も増大して多くの食品を収納する傾向にあり、扉自体が大きいこともあって、開扉のために大きな力を必要とし、非力な女性や高齢者の場合は負担が大きくなる問題があった。
【０００３】
上記問題を解決する構成として、近年、使用者のハンドルスイッチ操作により本体側からノックピンが突出して扉面を押圧し開扉する電磁ソレノイド式の扉開放装置を備えた冷蔵庫が市場に供されており、扉の開放に負担を要しない商品として評価されている。
一方、効率よく冷凍サイクルの運転を行うべく、商用交流電源を整流平滑して直流電源に変換し、これをインバータ装置によって所定の周波数の交流出力に変換して与えることで圧縮機を駆動する、いわゆるインバータ制御が考えられている。
【０００４】
ここで、従来の扉開放装置および圧縮機のインバータの制御回路について、図８のブロック図を参照して説明する。直流電源回路１０１は、交流電源１０９からの１００Ｖの交流入力を整流して直流電圧に変換し、インバータ主回路１０５および電磁ソレノイド１０３に供給している。制御装置１２０は、圧縮機の直流ブラシレスモータ１０６を運転する際には、位置検出回路１２１からの位置検出信号に基づきインバータ主回路２９に駆動信号を与えることにより、回転駆動制御する。また、操作スイッチ１２２がオン操作されると、制御装置１２０は、電磁ソレノイド１０３に直流電圧を供給するようになっている。
【０００５】
この場合、ソレノイドの駆動電力が大きく、平滑コンデンサ１０４，１０４´の容量が不足していると、電磁ソレノイド１０３に通電したときに駆動負荷が大きいため、インバータ主回路１０５を介して直流ブラシレスモータ１０６に供給する直流電圧が急激に低下する。
このため、制御装置１２０は、操作スイッチ１２２がオン操作されたときに、インバータ主回路２９に出力する駆動信号（デューティ）を高めて、直流ブラシレスモータ１０６に供給される直流電圧を高く設定することにより、電磁ソレノイド１０３への通電に拘らず、通電前の制御状態を保持するように構成されている（例えば、特許文献１）。
【０００６】
【特許文献１】
特開２００２−２７７８０公報（段落［００１８］〜［００２８］、図１）
【０００７】
【発明が解決しようとする課題】
しかしながら、上記構成においては、冷蔵庫の運転状態に応じて圧縮機の直流ブラシレスモータの回転数を変更しているため、この回転数に反比例して電磁ソレノイドに供給される直流電圧が変動することになり、正常に開扉することができなくなる。
例えば、直流ブラシレスモータを高回転で駆動している際に、操作スイッチをオン操作させてると、電磁ソレノイドに供給される直流電圧は低下することになり突出力が弱くなるため、開扉することができなくなるという不具合が生じる。一方、直流ブラシレスモータを低回転で駆動していると、電磁ソレノイドに供給される直流電圧は高くなり、突出力が必要以上に強くなるため、ノックピンが扉面を押圧する突出し音が大きくなり過ぎたり、勢い余って開き過ぎてしまうという不具合が生じるのである。
かかる不具合を解消するためには、電磁ソレノイドと直流ブラシレスモータにそれぞれ専用の整流回路または倍電圧回路による直流電源回路を設ければよいが、これではコストアップになるとともに、その分だけ別途回路が必要となるため、配線基板が大きくなるという弊害が生じる。
【０００８】
本発明は上記問題を考慮してなされたものであり、圧縮機の直流ブラシレスモータの直流電源回路と電磁ソレノイドの直流電源回路とを共用しても、開扉時における電磁ソレノイドの突出力を安定させた冷蔵庫を提供することを目的とする。
【０００９】
【課題を解決するための手段】
本発明は、交流入力を直流に変換して出力する直流電源回路と、スイッチング素子を三相ブリッジ接続してなり前記直流電源回路からの直流出力を三相交流出力として出力するインバータ主回路と、このインバータ主回路から給電される圧縮機駆動用の直流ブラシレスモータと、前記直流電源回路から直流出力が与えられるように接続された扉開放装置と、この扉開放装置に通電するための操作スイッチと、前記インバータ主回路のスイッチング素子に駆動信号を与えて前記直流ブラシレスモータの回転制御を行うとともに前記操作スイッチの操作により所定時間通電して前記扉開放装置の駆動制御を行う制御手段と、前記直流電源回路から前記インバータ主回路に出力された電圧を検出して前記制御手段に出力する電圧検出手段とを備え、前記制御手段は、前記電圧検出手段に応じて前記扉開放装置に通電する所定時間を変更することを特徴とするものである。
また、交流入力を直流に変換して出力する直流電源回路と、スイッチング素子を三相ブリッジ接続してなり前記直流電源回路からの直流出力を三相交流出力として出力するインバータ主回路と、このインバータ主回路から給電される圧縮機駆動用の直流ブラシレスモータと、前記直流電源回路からの直流出力が与えられるように接続してＰＷＭ制御される扉開放装置と、この扉開放装置に通電するための操作スイッチと、前記インバータ主回路のスイッチング素子に駆動信号を与えて前記直流ブラシレスモータの回転制御を行うとともに前記操作スイッチの操作によりＰＷＭデューティ値を出力して前記扉開放装置の駆動制御を行う制御手段と、前記直流電源回路から前記インバータ主回路に出力された電圧を検出して前記制御手段に出力する電圧検出手段とを備え、前記制御手段は、前記電圧検出手段に応じて前記扉開放装置に出力するデューティ値を変更することを特徴とするものである。
【００１０】
上記構成によれば、圧縮機の直流ブラシレスモータの直流電源回路と電磁ソレノイドの直流電源回路を共用しても、開扉時における電磁ソレノイドの突出力を安定させる冷蔵庫を提供することができる。
【００１１】
【発明の実施の形態】
以下、本発明の第１の実施形態について説明する。図４に示すように、冷蔵庫本体１の最上部には観音開き式による左右両開きの冷蔵室２が配置されており、冷蔵室２の下方隅部には低温チルド室に隣接して断熱区画した製氷室４、また冷蔵室２の下方には野菜室５、さらに冷凍室６を引出し扉方式により配置している。
冷蔵室２は、その背面に設けた図示しない冷却器で生成した冷気をファンによって室内に導入し冷却制御されるようになっており、本体１の底面背部には、図示しない機械室を設け、後述する圧縮機１８を配設している。
【００１２】
冷蔵室２の前面開口部には開口を幅方向に区分し、本体両側に設けたヒンジにより開閉可能とした観音開き方式の左扉９および右扉１０を設置している。
左扉９、右扉１０の裏面側の周縁部には、マグネットガスケット１０ｂを取り付けており、左扉９の右側側辺部には、庫内上部に設けた図示しないピンと摺動しながら、扉の開閉動作に合わせて回転する回転仕切板を設けている。
この回転仕切板は、特に図示しないが左扉９の閉扉時に９０度回転するようになっており、各マグネットガスケット１０ｂがこの回転仕切板と密着することにより、冷蔵室２の中間仕切部は閉塞状態に保持されている。
【００１３】
左扉９と対向する右扉１０の前面部には、ハンドル部１１を取り付けており、このハンドル部１１の前面には、操作スイッチ１２と操作パネル１３を取り付けている。
操作スイッチ１２は、タッチパネル１２ａが押圧操作されたときにオン操作される常開型のマイクロスイッチなどの機械的スイッチを内蔵した構成となっている。なお、操作スイッチ１２は、フォトインタラプタを利用した光学的なスイッチ或いは磁気的なスイッチなどにより構成することもできる。
【００１４】
冷蔵庫本体１の天井部には、右扉１０に開放方向への力を作用させるための扉開放装置２０が取り付けられており、内部には、直流駆動される電磁ソレノイド２１を配設している。
この電磁ソレノイド２１は、図５に示すように円筒状に形成されたコイルを樹脂モールドしたコイルユニット２１ａと、このコイルユニット２１ａ内にこれを貫通した状態で設けられたプランジャ２１ｂと、このプランジャ２１ｂに対し同軸状に固定されたノックピン２１ｃとを主たる構成要素としたもので、電磁ソレノイド２１の通電状態（コイルユニット２１ａのコイルに通電される状態）でプランジャ２１ｂ及びノックピン２１ｃが矢印Ａ方向へ付勢される構成となっている。
【００１５】
右扉１０の上縁部には、前記ノックピン２１ｃの先端部が当接する受け具１０ｃが一体的に設けられており、前記電磁ソレノイド２１に通電されてプランジャ２１ｂ及びノックピン２１ｃが突出されたときには、受け具１０ｃがノックピン２１ｃによって押圧され、これに応じて右扉１０がマグネットガスケット１０ｂの吸着力に抗して開放される構成となっている。
【００１６】
次に、圧縮機１８を駆動するための直流ブラシレスモータ１９の駆動回路と扉開放装置２０の電磁ソレノイド２１について、図１を参照して説明する。
ダイオードブリッジからなる整流回路２３の交流入力端子間には、リアクトル２４を介した状態で交流電源２５が接続され、直流出力端子間には直列接続した２個の平滑用コンデンサ２６，２７が接続されている。交流電源２５のリアクトル２４が接続されていない側の端子は平滑コンデンサ２６，２７の共通接続点にも接続され、これらにより、直流電源回路としての倍電圧整流回路２８を構成している。
倍電圧整流回路２８の出力端子間つまり平滑コンデンサ２６，２７の直列回路の端子間には、交流電源２５のピーク電圧である約１４０Ｖの電圧の２倍の直流電圧２８０Ｖが出力される。この倍電圧整流回路２８の出力端子間にはインバータ主回路２９が接続されている。インバータ主回路２９は、６個のトランジスタ（スイッチング素子）を三相ブリッジ接続してなるもので、その三相の出力端子は直流ブラシレスモータ１９の各相端子に接続されている。
【００１７】
インバータ主回路２９は、制御装置３０から各トランジスタのベースに駆動信号としてＰＷＭ信号が与えられる。制御装置３０は、マイクロコンピュータを主体としてＲＯＭ，ＲＡＭなどから構成されるもので、インバータ主回路２９を駆動制御するためのプログラムがあらかじめ記憶されている。インバータ主回路２９を駆動するに際しては、直流ブラシレスモータ１９のロータ回転位置を検出するための位置検出回路３１からの位置検出信号を参照して行う。なお、制御装置３０は、本発明でいうところの制御手段としての機能を兼ね備えたものである。
【００１８】
インバータ主回路２９の入力端子間には、直列接続した２個の抵抗４１，４２を接続しており、コンデンサ４３を介してインバータ主回路２９に入力される直流電圧を分圧している。この分圧された分圧電圧は制御装置３０に入力されて、インバータ主回路２９の入力電圧の変動を検知しており、これらにより、電圧検出回路４０を構成している。
【００１９】
電磁ソレノイド２１は、実用上においては、例えば２００Ｗ程度の電力を必要とするものである。この電磁ソレノイド２１の一端子は倍電圧整流回路２８の正の出力端子に接続され、他端子は駆動用のＦＥＴ３２のドレイン側と接続している。また、電磁ソレノイド２１の両端子には、ダイオード３３を並列に接続している。
このＦＥＴ３２は、操作スイッチ１２の操作信号が制御装置３０に入力されると、制御装置３０が電圧検出回路４０より検出された入力電圧に基づいてＦＥＴ３２のオン時間（電磁ソレノイド２１に通電する通電時間）を決定して、このオン時間に基づきオンされるようになっている（制御電源は、例えば直流１５Ｖ）。
【００２０】
以下にＦＥＴ３２をオンオフ駆動する具体的な構成について説明する。制御装置３０からの出力側の端子が抵抗３４を介してｎｐｎ型のトランジスタ３５のベース側と接続されており、この第１トランジスタ３５のコレクタ側は抵抗３６を介してｐｎｐ型の第２トランジスタ３７のベース側と接続されており、エミッタ側はＦＥＴ３２のソース側と接続されている。
第２トランジスタ３７のコレクタ側は、ｎｐｎ型の第３トランジスタ３９のコレクタ側と接続されており、制御電源が供給されているとともに、エミッタ側は、抵抗３８を介してＦＥＴ３２のソース側と接続されている。
第３のトランジスタ３９のエミッタ側は、ｐｎｐ型の第４トランジスタのコレクタ側と接続されており、第４トランジスタ４０のエミッタ側はＦＥＴ３２のソース側と接続されている。この第３，第４トランジスタ３９，４０の各ベース側は第１トランジスタ３５のコレクタ側と抵抗３６間に接続されている。
一方第３トランジスタ３９のエミッタ−第４トランジスタ４０のコレクタ間には、抵抗４１を介してＦＥＴ３２のゲート側と接続されており、ＦＥＴ３２のソース側は、倍電圧整流回路２８の負の出力端子に接続されおり、ＦＥＴ３２のソース−ゲート間には、ターンオフを迅速に処理するための抵抗４２を並列に設けている。
【００２１】
上記構成の場合、制御装置３０から駆動信号（オン信号）が入力されると、第１トランジスタ３５がオンする。すると第２トランジスタ３６のコレクタ側には制御電圧が供給されているため、第２トランジスタ３６がオンして、コレクタ−エミッタ間に電流が流れるる。そして、第３トランジスタ３９のベース側に電流が流れるため、第３トランジスタ３９がオンして、コレクタ−エミッタ間に電流が流れることによりＦＥＴ３２がオンされる。
一方、制御装置３０からの駆動信号が遮断（オフ信号が入力）されると、第１トランジスタ３５がオフするため、ＦＥＴ３２に電流が供給されないが、一般的にＦＥＴ３２にはコンデンサが内臓されているため、電荷が残っている。しかし、この電荷は抵抗４１を介して第４トランジスタのコレクタ−エミッタに流れるため、オフ時には迅速に電荷を引き抜くことができ、ターンオフにかかる時間を短縮させることができるようになっている。
【００２２】
次に本実施形態の作用について説明する。直流電源回路２８は、交流電源２５からの１００Ｖの交流入力を整流すると共に平滑コンデンサ２６，２７により倍電圧に昇圧して約２８０Ｖの直流電圧を出力するようになる。この直流出力はインバータ主回路２９および電磁ソレノイド２１の駆動回路側へ供給される。制御装置３０は、圧縮機１８を運転する際には、インバータ主回路２９に駆動周波数に対応した駆動信号を位置検出回路３１からの位置検出信号に基づいて与えることにより、直流ブラシレスモータ１９に三相交流電圧を印加して回転駆動制御する。
【００２３】
直流ブラシレスモータ１９を駆動して圧縮機１８を運転している状態において、操作スイッチ１２がオン操作された場合、３０は、これを検出してトランジスタ３６にオン信号を所定時間（例えば０．５秒）出力してＦＥＴ３２をオンさせ、これによって電磁ソレノイド２１に倍電圧整流回路２８からの直流出力を与えるようになっている。
このとき、電磁ソレノイド２１の駆動電力は大きいため、インバータ主回路２９に供給される直流電圧が急激に低下することになり、圧縮機１８が脱調しやすく、振動が発生することで異音が発生するなどの不具合が生じる。したがって、操作スイッチ１２がオン操作された場合には、ＰＷＭデューティを高く変更などして電磁ソレノイド２１の通電中の電圧低下分を補償することが好ましい。
【００２４】
ここで、本発明の実施形態のように電磁ソレノイド２１と直流ブラシレスモータ１９に直流電圧を供給するための直流電源回路２８を共用した構成（以下、本実施形態構成とする）と、それぞれ専用の直流電源回路（以下、従来構成とする）とにおける電磁ソレノイド２１に供給する直流電圧変動について、本発明の出願人が比較実験を行った結果を示す図６を参照して説明する。
商用交流電圧は通常１００ｖであるが、他の電気製品などの使用状況により変動することがあり、この場合、インバータ主回路２９に入力される直流電圧も変動するため、かかる変動を想定して、出願人は商用電圧を９０ｖ、１００ｖ、１１０ｖにそれぞれ変更した場合における直流電圧変動を測定した。
【００２５】
また、直流ブラシレスモータ１９の回転制御は、冷蔵庫１の温度変化に応じて回転周波数を変更するが、かかる場合にもインバータ主回路２９に入力される直流電圧が変動するため、出願人は直流ブラシレスモータ１９への出力を圧縮機１８の停止状態の出力電力である０Ｗから最高回転数における出力電力である１８０Ｗまで変更させた場合における直流電圧変動を測定した。
この実験の結果、図６に示すように、商用交流電圧を最も高く想定した場合の１１０ｖにおいては、直流ブラシレスモータ１９を停止させている状態では直流電圧は変動していないため３０４ｖ（ここでは、電圧Ａ）であるが、徐々に直流ブラシレスモータ１９の出力を上げていくと圧縮機１８にかかる負荷に応じて直流電圧が下がり、最高出力の１８０Ｗでは２６３Ｗまで低下する。同様に商用交流電圧を１００ｖ、９０ｖに変更した場合、それぞれ２７６ｖから２３４ｖ、２４８ｖから２０８ｖに低下する。このとき最も直流電圧の低い時の電圧を電圧Ｂとする。
【００２６】
これらの結果から、従来構成の場合には、直流ブラシレスモータの変動に応じて電磁ソレノイドに供給される直流電圧は変動しないため、商用交流電圧の変動分±１０％（ここでは、電圧変動分Ｃ）のみを想定して設計をすればよいが、本実施形態構成では、商用交流電圧の変動分と直流ブラシレスモータ１９の変動分の両者の変動±２０％（ここでは、電圧変動分Ｄ）が生じる。
この変動分は、直流ブラシレスモータ１９を高回転（高出力）で駆動していると、電磁ソレノイド２１に供給される直流電圧は著しく低下して突出力が弱くなるため、開扉することができなくなるという不具合が生じる。一方、直流ブラシレスモータ１９を低回転（低出力）で駆動または停止させていると、電磁ソレノイド２１に供給される直流電圧は高くなり、突出力が必要以上に強くなるため、ノックピン２１ｃが受け具１０ｃを押圧する衝突音が大きくなり過ぎたり、勢い余って開き過ぎてしまうという不具合が生じるのである。
【００２７】
そこで本発明では、操作スイッチ１２がオン操作された場合、制御装置３０は、直流ブラシレスモータ１９の回転変動に拘らず、電磁ソレノイド２１の突出力が一定になるように、インバータ主回路２９に入力されている直流電圧に基づいて、電磁ソレノイド２１に通電する通電時間を変更する。
【００２８】
この通電時間を変更する方法としては、図２のフローチャートを参照して説明する。
ステップ１では、操作スイッチ１２がオン操作されたか否かを検出して（Ｓ１）、ステップ２に進む。
ステップ２では、操作スイッチ１２がオン操作された瞬間における直流ブラシレスモータ１９への入力電圧変動および商用交流電圧の変動を的確に判断すべく、インバータ主回路２９に入力されている直流電圧（以下、実電圧とする）を電圧検出回路４０より検出する（Ｓ２）。
ステップ３では、ステップ２で検出した実電圧により通電時間を決定する（Ｓ３）。この通電時間の決定方法は、式１により求められる。この式１の意味するところは、図７に示すように最も電磁ソレノイド２１に供給される直流電圧が多い場合の電圧Ｂでは、通電時間が長くなると突出力が強過ぎることになるため、かかる場合の通電時間は、最小時間であるＴ１とする。一方、最も電磁ソレノイド２１に供給される直流電圧が少ない場合の電圧Ａでは、通電時間が短いと突出力が弱過ぎることになるため、かかる場合の通電時間は、最大時間であるＴ２とする。
【００２９】
【数１】
2004286311.tif 000003
【００３０】
実電圧は、直流ブラシレスモータ１９への出力変動に応じて電圧Ａ−Ｂの範囲内で変動されるため、これに応じて通電時間をＴ１−Ｔ２間で比例変動することにより突出力を一定にできるように構成されている。
ステップ４では、ＦＥＴ３２をオンさせて電磁ソレノイド２１を通電する（Ｓ４）。そして、ステップ５では、電磁ソレノイド２１に通電している時間が、ステップ３で決定された通電時間に達したか否かを検出して（Ｓ５）、ステップ６において、所定時間達していれば、ＦＥＴ３２をオフさせて電磁ソレノイド２１への通電を終了する（Ｓ６）。
【００３１】
このような実施形態によれば、操作スイッチ１２がオン操作された場合に電圧検出回路４０より検出されたインバータ主回路２９の入力直流電圧に基づいて、電磁ソレノイド２１への通電時間を変更しているため、直流ブラシレスモータ１９への回転変動に拘らず、電磁ソレノイド２１の突出力が一定にすることができる。
したがって、従来構成を用いずとも直流ブラシレスモータ１９の回転変動に応じて突出力が弱くなり、開扉することができないという不具合や、突出力が必要以上に強くなり過ぎて、ノックピン２１ｃが受け具１０ｃを押圧する突出し音が大きくなり過ぎたり、勢い余って開き過ぎてしまうという不具合を防止することができる。生じるのである。
【００３２】
次に他の実施形態について説明する。電磁ソレノイド２１は、上記した実施形態のように通電時間で駆動制御されるものではなく、周期を一定としてＦＥＴ３２のオン時間（パルス幅）を変化させることにより、出力電力を時間比率制御するＰＷＭ制御で駆動制御されている。ＦＥＴ３２のオン信号（ＰＷＭ信号）は、ユーザーの耳に聞こえにくい周波数、例えば１６Ｈｚで行っている。また、通電時間は一定にしている。
【００３３】
本実施形態における動作について、図３のフローチャートに基づいて説明する。
ステップ１１では、操作スイッチ１２がオン操作されたか否かを検出して（Ｓ１１）、ステップ１２に進む。
ステップ１２では、操作スイッチ１２がオン操作された瞬間における直流ブラシレスモータ１９への入力電圧変動および商用交流電圧の変動を的確に判断すべく、インバータ主回路２９に入力されている直流電圧（以下、実電圧とする）を電圧検出回路４０より検出する（Ｓ１２）。
【００３４】
ステップ１３では、ステップ１２で検出した実電圧によりＰＷＭデューティを決定する（Ｓ１３）。このＰＷＭデューティの決定方法は、式２に示すように、最も電磁ソレノイド２１に供給される直流電圧が少ない場合の電圧Ｂ（図６参照）と実電圧との比率によりＦＥＴ３２をオンさせるＰＷＭデューティを決定する。この場合、１００％のＰＷＭデューティは、実験により測定したものであり、最も電磁ソレノイド２１に供給される直流電圧が少ない場合において通常の突出力を生じさせた際のＰＷＭデューティを１００％とする。
この式２により、実電圧が電圧Ａ−Ｂの範囲内で変動した場合、ＰＷＭデューティはその変動比率に応じて決定されるため、電磁ソレノイド２１の突出力が一定になるように構成される。
【００３５】
【数２】
2004286311.tif 000004
【００３６】
ステップ１４では、ＦＥＴ３２をオンさせて電磁ソレノイド２１を通電する（Ｓ１４）。そして、ステップ１５では、電磁ソレノイド２１に通電している時間が、ステップ３で決定された通電時間に達したか否かを検出して（Ｓ１５）、ステップ６において、所定時間達していれば、ＦＥＴ３２をオフさせて電磁ソレノイド２１への通電を終了する（Ｓ１６）。
【００３７】
上記構成によれば、電磁ソレノイド２１の駆動制御がＰＷＭ制御によるものであっても、上記実施形態と同様の効果を奏することができる。
上述した実施形態においては、倍電圧整流回路２８を用いて２８０Ｖを生成する直流電源回路としたが、昇圧回路を用いて２８０Ｖの直流電圧を生成するものを構成することもできるし、あるいは、インバータ主回路を低圧で使用する構成のものを採用することもできる。
また、直流ブラシレスモータ１９は、位置検出回路３１を用いて電圧信号を検出することでロータの回転位置を検出するものの場合について説明したが、ロータの回転位置を直接的に検出する構成のものを採用することもできる。
【００３８】
【発明の効果】
本発明の構成によれば、圧縮機の直流ブラシレスモータの直流電源回路と電磁ソレノイドの直流電源回路を共用しても、開扉時における電磁ソレノイドの突出力を安定させる冷蔵庫を提供することができる。
【図面の簡単な説明】
【図１】本発明の１実施形態の制御回路を示す回路図である。
【図２】図１の制御方法を示すフローチャートである。
【図３】本発明の他の実施形態を示すフローチャートである。
【図４】本発明の冷蔵庫を示す縦断面図である。
【図５】本発明の電磁ソレノイドの細部を示す縦断面図である。
【図６】直流ブラシレスモータの出力変動と商用交流電圧変動の関係による直流電圧変動を示すグラフである。
【図７】式１の通電時間を説明する説明図である。
【図８】従来の制御回路を示す回路図である。
【符号の説明】
１…冷蔵庫本体          ２…冷蔵室              １０…右扉
１０ｂ…マグネットガスケット  １０ｃ…受け部  １２…操作スイッチ
１３…操作パネル        １８…圧縮機          １９…直流ブラシレスモータ
２０…扉開放装置        ２１…電磁ソレノイド  ２１ｃ…ノックピン
２３…整流回路          ２５…交流電源        ２８…直流電源回路
２９…インバータ主回路  ３０…制御装置        ３２…ＦＥＴ
４０…電圧検出回路
【図１】
2004286311.tif 000005
【図２】
2004286311.tif 000006
【図３】
2004286311.tif 000007
【図４】
2004286311.tif 000008
【図５】
2004286311.tif 000009
【図６】
2004286311.tif 000010
【図７】
2004286311.tif 000011
【図８】
2004286311.tif 000012